(57)【特許請求の範囲】
【請求項１】
両足先を配置可能なマッサージ機本体と、前記マッサージ機本体に配置されるヒータ部と、前記マッサージ機本体に置かれる足先の甲に対向する部位を被覆可能な被覆部とを備え、
前記被覆部は可撓性を有し、
前記ヒータ部は、前記マッサージ機本体に置かれる足の親指に対向する位置に配置され、足のツボを押圧するツボ押し部を備え、前記ツボ押し部は、前記マッサージ機本体側から足裏に向けて突出し、前記ヒータ部を挟むように足の長手方向に沿って配置される
マッサージ機。
【請求項２】
前記ヒータ部は、前記ツボ押し部の頂部に足裏が接触した状態において足の親指に接触するように前記マッサージ機本体側から足裏に向けて突出する
請求項１に記載のマッサージ機。
【発明の詳細な説明】
【技術分野】
【０００１】
本発明は足裏をマッサージするマッサージ機に関する。
【背景技術】
【０００２】
特許文献１は従来のマッサージ機の一例を開示している。このマッサージ機を構成する足先用マッサージユニットは、その本体部であるユニット筐体を備える。ユニット筐体は、底壁、底壁の両端から上方に延びる一対の第１側壁、底壁における各第１側壁の間から上方に延びる第２側壁、および、これらの壁により形成される一対の凹部を備える。凹部は、被施療者の足先であるくるぶしよりも下の部分が挿入可能な形状を有し、上方および前後の両方が開放される。
【０００３】
上記マッサージ機はさらに、各第１側壁における第２側壁と対向する側面に配置される側面エアバック、第２側壁において各第１側壁と対向する側面に配置される弾性部材、および、底壁に配置される底面エアバックをさらに備える。底面エアバックはウレタン樹脂等により形成される指圧子を備える。
【０００４】
使用者がマッサージ機を使用するとき、両足先が各凹部に挿入される。この状態において、側面エアバックが膨張することにより被施療者の足先が弾性部材側に押され、被施療者の足先が弾性部材に埋没する。このため、被施療者の足先が凹部に保持される。そして、底面エアバックがさらに膨張することにより、足先の足裏が指圧子によって指圧マッサージされる。
【先行技術文献】
【特許文献】
【０００５】
【特許文献１】特開２００４−２３００２０号公報
【発明の概要】
【発明が解決しようとする課題】
【０００６】
特許文献１のマッサージ機によれば、凹部の上方および前側が開放されているため、凹部に置かれた足先が露出する。このため、冬場などのように寒い場合、使用者がマッサージ機を使用しているときに足先が冷え、快適な状態でマッサージ機を使用することが難しい。
【０００７】
本発明の目的は使用者が快適に使用できるマッサージ機を提供することである。
【課題を解決するための手段】
【０００８】
本発明に従うマッサージ機の一形態は、両足先を配置可能なマッサージ機本体と、前記マッサージ機本体に配置されるヒータ部と、前記マッサージ機本体に置かれる足先の甲に対向する部位を被覆可能な被覆部とを備え、前記被覆部は可撓性を有し、前記ヒータ部は、前記マッサージ機本体に置かれる足の親指に対向する位置に配置され、足のツボを押圧するツボ押し部を備え、前記ツボ押し部は、前記マッサージ機本体側から足裏に向けて突出し、前記ヒータ部を挟むように足の長手方向に沿って配置される。
【発明の効果】
【００１１】
本発明に従うマッサージ機によれば、使用者が快適に使用できる。
【図面の簡単な説明】
【００１２】
【図１】は実施形態のマッサージ機の分解斜視図である。
【図２】は図１のマッサージ機本体の分解斜視図である。
【図３】は図２のエアバックの回路図である。
【図４】はベルトが省略された図１のマッサージ機本体の平面図である。
【図５】は図１のマッサージ機本体の平面図である。
【図６】は挿入部材が省略された図１のマッサージ機の断面図である。
【図７】は図１のベルトおよび挿入部材の平面図である。
【図８】は図１のマッサージ機の斜視図である。
【図９】は挿入部材の係止突起およびその周りの断面図である。
【図１０】は図８のマッサージ機の断面図である。
【図１１】は足が載せられた図５のマッサージ機の平面図である。
【発明を実施するための形態】
【００１３】
（マッサージ機が取り得る形態の一例）
〔１〕本発明に従うマッサージ機の一形態は、両足先を配置可能なマッサージ機本体と、前記マッサージ機本体に配置されるヒータ部と、前記マッサージ機本体に置かれる足先の甲に対向する部位を被覆可能な被覆部とを備え、前記被覆部は可撓性を有し、前記ヒータ部は、前記マッサージ機本体に置かれる足の親指に対向する位置に配置され、足のツボを押圧するツボ押し部を備え、前記ツボ押し部は、前記マッサージ機本体側から足裏に向けて突出し、前記ヒータ部を挟むように足の長手方向に沿って配置される。
〔２〕前記マッサージ機の一例によれば、前記ヒータ部は、前記ツボ押し部の頂部に足裏が接触した状態において足の親指に接触するように前記マッサージ機本体側から足裏に向けて突出する。
【００１８】
（実施形態）
以下、本発明を、足裏をマッサージするために用いられるマッサージ機に具体化した一実施形態を図面に従って説明する。
【００１９】
図１に示すように、マッサージ機１０は、足先（くるぶしよりも下の部分）が置かれるマッサージ機本体１１と、マッサージ機本体１１が取り付けられた本体カバー３１と、本体カバー３１の内部に挿入される挿入部材４１とを有している。
【００２０】
まず、マッサージ機本体１１について説明する。
図２に示すように、マッサージ機本体１１は略矩形箱状の本体部１２を有しており、本体部１２の上面１２ａの中央部には、第１貫通孔１２ｂ及び第２貫通孔１２ｃが形成されている。第１貫通孔１２ｂ及び第２貫通孔１２ｃは、本体部１２の短手方向（図２に示す矢印Ｙ１の方向）に沿って所定の間隔をあけて配置されている。本体部１２の上面１２ａにはエアバック１３が載置される。
【００２１】
エアバック１３は、第１エア室１３ａと第２エア室１３ｂとに区画された構成になっている。第１エア室１３ａは、本体部１２の一長側面１２１側に位置するとともに本体部１２の長手方向（図２に示す矢印Ｙ２の方向）に沿って延びるように配置されている。第２エア室１３ｂは、本体部１２の長側面１２２側に位置するとともに本体部１２の長手方向に沿って延びるように配置されている。エアバック１３には、第１エア室１３ａ内に連通する第１連通孔１３１ａと、第２エア室１３ｂ内に連通する第２連通孔１３１ｂとが形成されている。本体部１２の上面１２ａにエアバック１３が載置された状態において、第１連通孔１３１ａは第１貫通孔１２ｂと重なるとともに、第２連通孔１３１ｂは第２貫通孔１２ｃと重なるようになっている。
【００２２】
エアバック１３の上面には、布製のシート材１４を介して第１〜第４指圧プレート１５、１６、１７、１８が配設される。第１指圧プレート１５及び第２指圧プレート１６は平面視Ｌ字状をなしている。
【００２３】
第１指圧プレート１５及び第２指圧プレート１６は、第１連通孔１３１ａを挟むとともに所定の間隔をあけて本体部１２の両短側面１２３、１２４側に第１エア室１３ａと重なるように配置される。第１指圧プレート１５及び第２指圧プレート１６の上面には、ツボ押し部１５ａ、１６ａが複数（本実施形態では３つずつ）突出している。各ツボ押し部１５ａ、１６ａはそれぞれ頂部１５１ａ、１６１ａを備える。
【００２４】
第３指圧プレート１７及び第４指圧プレート１８は平面視矩形状をなしている。第３指圧プレート１７及び第４指圧プレート１８は、第２連通孔１３１ｂを挟むとともに所定の間隔をあけて本体部１２の両短側面１２３、１２４側に第２エア室１３ｂと重なるように配置される。第３指圧プレート１７及び第４指圧プレート１８の上面には、ツボ押し部１７ａ、１８ａが複数（本実施形態では２つずつ）突出している。各ツボ押し部１７ａ、１８ａはそれぞれ頂部１７１ａ、１８１ａを備える。
【００２５】
なお、以下の説明では各ツボ押し部１５ａ、１６ａ、１７ａ、１８ａが「ツボ押し部１５ａ等」と記述され、各頂部１５１ａ、１６１ａ、１７１ａ、１８１ａが「頂部１５１ａ等」と記述される。
【００２６】
第１指圧プレート１５及び第３指圧プレート１７は、本体部１２の短手方向に並んで配置されている。よって、各ツボ押し部１５ａ、１７ａは、本体部１２の短手方向に並んで配置されている。第２指圧プレート１６及び第４指圧プレート１８は、本体部１２の短手方向に並んで配置されている。よって、各ツボ押し部１６ａ、１８ａは、本体部１２の短手方向に並んで配置されている。また、本体部１２の一短側面１２３側には操作部１９が設けられている。操作部１９は、マッサージ機１０のマッサージモードをＯＮ又はＯＦＦに切り替えるマッサージモード切替ボタンと、マッサージ機１０のヒータモードをＯＮ又はＯＦＦに切り替えるヒータモード切替ボタンとを有している。
【００２７】
図３に示すように、本体部１２内には、第１エア室１３ａ及び第２エア室１３ｂにエアを送り込むための加圧ポンプＰが内蔵されている。加圧ポンプＰにはエアチューブＣの一端が接続されている。エアチューブＣの他端側は、第１エア室１３ａに連通する第１連通部Ｃ１と、第２エア室１３ｂに連通する第２連通部Ｃ２とに分岐されている。第１連通部Ｃ１は、第１貫通孔１２ｂ及び第１連通孔１３１ａを介して第１エア室１３ａ内に挿通されている。第２連通部Ｃ２は、第２貫通孔１２ｃ及び第２連通孔１３１ｂを介して第２エア室１３ｂ内に挿通されている。
【００２８】
第１連通部Ｃ１には第１排気通路Ｅ１が接続されるとともに、第１排気通路Ｅ１には第１電磁弁Ｖ１が設けられている。第２連通部Ｃ２には第２排気通路Ｅ２が接続されるとともに、第２排気通路Ｅ２には第２電磁弁Ｖ２が設けられている。第１電磁弁Ｖ１及び第２電磁弁Ｖ２は、第１エア室１３ａ及び第２エア室１３ｂに供給されたエアを第１排気通路Ｅ１及び第２排気通路Ｅ２を介して大気へ排出するための排気弁として機能する。具体的には、第１電磁弁Ｖ１及び第２電磁弁Ｖ２が閉弁された状態では、加圧ポンプＰから供給されたエアはエアチューブＣを介して第１エア室１３ａ及び第２エア室１３ｂに供給されるようになっている。一方、第１電磁弁Ｖ１及び第２電磁弁Ｖ２が開弁された状態では、第１エア室１３ａ及び第２エア室１３ｂに供給されたエアが、第１排気通路Ｅ１及び第２排気通路Ｅ２、第１電磁弁Ｖ１及び第２電磁弁Ｖ２を介して大気へ排出されるようになっている。加圧ポンプＰ、第１電磁弁Ｖ１及び第２電磁弁Ｖ２の駆動は、本体部１２内に内蔵された制御部Ｓにより制御されるようになっている。
【００２９】
使用者が操作部１９のマッサージモード切替ボタンを押して、マッサージモードをＯＮにすると、制御部Ｓは、加圧ポンプＰを駆動するように加圧ポンプＰを制御するとともに、第１電磁弁Ｖ１及び第２電磁弁Ｖ２が閉弁になるように第１電磁弁Ｖ１及び第２電磁弁Ｖ２を制御する。すると、加圧ポンプＰからエアチューブＣに供給されたエアが、第１連通部Ｃ１を介して第１エア室１３ａに供給されるとともに、加圧ポンプＰからエアチューブＣに供給されたエアが第２連通部Ｃ２を介して第２エア室１３ｂに供給され、エアバック１３全体が膨張するようになっている。
【００３０】
また、第１エア室１３ａ及び第２エア室１３ｂにエアが所定量供給されると、制御部Ｓは、加圧ポンプＰの駆動を一時停止するように加圧ポンプＰを制御するとともに、第１電磁弁Ｖ１及び第２電磁弁Ｖ２が開弁状態になるように第１電磁弁Ｖ１及び第２電磁弁Ｖ２を制御する。すると、第１エア室１３ａ及び第２エア室１３ｂのエアが、第１排気通路Ｅ１及び第２排気通路Ｅ２、第１電磁弁Ｖ１及び第２電磁弁Ｖ２を介して大気へ排出されて、エアバック１３全体が膨張状態から元の膨張する前の状態に戻る。尚、制御部Ｓが、第１電磁弁Ｖ１及び第２電磁弁Ｖ２の開弁のタイミングを制御することで、例えば、エアバック１３において、第１エア室１３ａ側の部位のみを膨張させたり、第２エア室１３ｂ側の部位のみを膨張させたりすることが可能となる。
【００３１】
図４に示すように、本体部１２の上面１２ａにおける一長側面１２１側の中央にはヒータ部Ｈが設けられている。具体的には、ヒータ部Ｈは、第１指圧プレート１５と第２指圧プレート１６とに挟まれた位置に設けられている。
【００３２】
ヒータ部Ｈは、本体部１２の上面１２ａから上方に向けて突出する突出部Ｈ１を有している。突出部Ｈ１の上端には、ヒータ素子Ｈ２が埋設されている。ヒータ素子Ｈ２は、使用者が操作部１９のヒータモード切替ボタンを押して、ヒータモードをＯＮにすると、図示しない電圧印加部から所定の電圧（１２Ｖ）がヒータ素子Ｈ２に印加されて、ヒータ素子Ｈ２自身が発熱するようになっている。ヒータ素子Ｈ２の上側には、平板状をなすアルミニウム製のヒータプレートＨ３が配設されている。ヒータプレートＨ３は、ヒータ素子Ｈ２から発せられる熱が伝達されるようになっている。さらに、ヒータプレートＨ３の上側には平板状のヒータカバーＨ４が配設されている。このヒータカバーＨ４によりヒータプレートＨ３全体が被覆されている。
【００３３】
本体部１２の上面１２ａにおいて、操作部１９と、第１指圧プレート１５及び第３指圧プレート１７との間には、第１取付部２１が枠状に突設されるとともに、第１取付部２１には第１挿入部２１ａが形成されている。また、本体部１２の一長側面１２１の中央には第２取付部２２が枠状に突設されるとともに、第２取付部２２には第２挿入部２２ａが形成されている。さらに、本体部１２における短側面１２４には第３取付部２３が枠状に突設されるとともに、第３取付部２３には第３挿入部２３ａが形成されている。第１取付部２１及び第３取付部２３は、本体部１２の長手方向に沿う直線上に位置している。
【００３４】
図５に示すように、マッサージ機本体１１には第１〜第３取付部２１、２２、２３を利用して規制手段の一例であるベルト２５が取り付けられる。ベルト２５は、足先の甲（足首から足指の付け根までの部位）に密着するように足先の甲に対してベルト２５が締め付けられても、足先の甲が痛むことがない柔らかい材質で形成されており、足先の甲に沿うように変形可能になっている。ベルト２５の両端には所定の長さを有する貼着部Ｔ［例えばマジックテープ（登録商標）］が設けられている。
【００３５】
ベルト２５をマッサージ機本体１１に取り付けるには、まず、ベルト２５の一端を、第１取付部２１の第１挿入部２１ａに対して本体部１２の一短側面１２３側から挿入する。続いて、第１挿入部２１ａを通過したベルト２５の一端を、第２取付部２２の第２挿入部２２ａに対して上方から挿入する。続いて、第２挿入部２２ａを通過したベルト２５の一端を、第３取付部２３の第３挿入部２３ａに対して上方から挿入する。第３挿入部２３ａを通過したベルト２５の一端は、ベルト２５の他端に対して貼着部Ｔを用いて貼着される。このようにして、ベルト２５は、マッサージ機本体１１に対してマッサージ機本体１１の上方を通過するように架け渡される。また、ベルト２５は、貼着部Ｔにより足先の甲に対して締め付け調整可能に構成されている。
【００３６】
次に、本体カバー３１について説明する。
図１及び図６に示すように、本体カバー３１は発泡性材料から形成されるとともに可撓性を有しており、略円板状の底壁３２と、底壁３２の外周縁から上方に向けて弧状に湾曲するように膨らむ周壁３３とを有している。周壁３３には開口３４が形成されている。開口３４の大きさは両足先が挿入可能な大きさになっている。周壁３３における開口３４よりも奥側は、足先を本体カバー３１の内側に挿入すると、爪先から足先の甲に至る部位を被覆可能になっている。よって、本実施形態では、周壁３３における開口３４よりも奥側は、爪先から足先の甲に至る部位を被覆する被覆部３５になっている。また、周壁３３における開口３４周りには係止孔３８が所定の間隔をあけて複数（本実施形態では８つ）形成されている。
【００３７】
図６に示すように、底壁３２には、マッサージ機本体１１が取り付けられる取付凹部３６が形成されている。取付凹部３６の底面３６ａには、本体部１２の底面から突出形成された位置決め部１２ｅが嵌合される位置決め孔３７が形成されている。そして、マッサージ機本体１１は、本体部１２を取付凹部３６に対して嵌め込むとともに、位置決め部１２ｅを位置決め孔３７に嵌合させることで、本体カバー３１に対して位置決めされた状態で取り付けられる。マッサージ機本体１１が本体カバー３１に取り付けられた状態では、被覆部３５によりベルト２５のほぼ全体が覆われている。また、マッサージ機本体１１が本体カバー３１に取り付けられた状態において、位置決め部１２ｅの底面は位置決め孔３７を介して外方に臨んでいる。
【００３８】
次に、挿入部材４１について説明する。
図１に示すように、挿入部材４１は布製であるとともに袋状をなしており、右足先が挿入可能な右足先挿入部４２と、左足先が挿入可能な左足先挿入部４３とを有している。挿入部材４１の開口４１ａの大きさは両足先が挿入可能な大きさになっている。挿入部材４１における開口４１ａ周りには、本体カバー３１の係止孔３８に係止可能な係止突起４４が複数（本実施形態では８つ）設けられている。係止突起４４は、挿入部材４１における開口４１ａ周りに取り付けられる円板状の取付部４４ａと、取付部４４ａの一面から直交する方向へ延びる延設部４４ｂと、延設部４４ｂの先端から外方へ突出して本体カバー３１の係止孔３８周りに係止可能な係止部４４ｃとから構成されている。
【００３９】
図７に示すように、挿入部材４１は、本体カバー３１の開口３４を介して本体カバー３１内に挿入され、ベルト２５の内側（ベルト２５とマッサージ機本体１１との間）に配置されるようになっている。具体的には、ベルト２５における第１取付部２１と第２取付部２２との間で架け渡された部位の下側に右足先挿入部４２が配置されるとともに、ベルト２５における第２取付部２２と第３取付部２３との間で架け渡された部位の下側に左足先挿入部４３が配置される。さらに、ベルト２５における第３取付部２３と第１取付部２１との間で架け渡された部位の下側に、挿入部材４１における足先の甲の上方に位置する部位が配置される。
【００４０】
図８に示すように、挿入部材４１がベルト２５の内側に配置された状態において、各係止突起４４を各係止孔３８に係止させる。具体的には、図９に示すように、係止突起４４を係止孔３８に対して強制的に挿入する。すると、係止部４４ｃが係止孔３８を通過するとともに、係止部４４ｃが係止孔３８周りに係止される。これにより、挿入部材４１が本体カバー３１に対して着脱可能に取り付けられる。このようにして、本実施形態のマッサージ機１０が構成される。
【００４１】
次に、本実施形態の作用について説明する。尚、使用者は、ベルト２５が使用者の足先の甲に密着するように、足先の甲に対するベルト２５の締め付け具合が貼着部Ｔにより予め調整されているものとする。
【００４２】
図１０に示すように、使用者は、両足先を挿入部材４１内に挿入する（図１０においては右足先のみ図示）。すると、図１１に示すように、足の親指がヒータ部Ｈ上に接触するとともに、ツボ押し部１５ａ等が備える頂部１５１ａ等が足裏に接触する。すなわち、ツボ押し部１５ａ等は、足先の長手方向に沿って配置されている。また、被覆部３５により爪先から足先の甲に至る部位が被覆される。
【００４３】
続いて、使用者は、操作部１９のマッサージモード切替ボタンを押して、マッサージモードをＯＮにする。すると、エアバック１３が膨張する。このとき、ベルト２５により足先の甲がマッサージ機本体１１側へ締め付けられているため、エアバック１３の膨張に追従して足先が上方へ移動してしまうことが防止される。その結果として、ツボ押し部１５ａ等が足裏に押し付けられ、効果的に足裏のマッサージが施される。
【００４４】
また、使用者が操作部１９のヒータモード切替ボタンを押して、ヒータモードをＯＮにすることで、ヒータ部Ｈが加温されるため、足の親指を中心として足裏が温められる。さらには、被覆部３５により爪先から足先の甲に至る部位が被覆されているため、マッサージ機１０を使用している際に足先が冷え難く、使用者は快適な状態でマッサージ機１０を使用することが可能となる。
【００４５】
マッサージ機１０によれば例えば以下の効果が得られる。
（１）マッサージ機１０において、マッサージ機本体１１に置かれた足の爪先から足先の甲に至る部位を被覆する被覆部３５を設けた。よって、足先が露出してしまっている構成のマッサージ機に比べると、マッサージ機１０を使用している際に足先が冷え難く、使用者は快適な状態でマッサージ機１０を使用することができる。
【００４６】
（２）本体カバー３１は可撓性を有している。よって、足先を挿入する際に、被覆部３５に足先が接触したとしても、被覆部３５が足先に追従して撓むため、被覆部３５が邪魔にならずにスムーズに足先を本体カバー３１内に挿入することができる。
【００４７】
（３）本体カバー３１は発泡性材料から形成されている。発泡性材料は保温性が良いため、足先を効率良く温めることができる。
（４）足裏を温めるヒータ部Ｈをマッサージ機本体１１にさらに備えた。よって、ヒータ部Ｈによって足裏を効率良く温めることができるため、使用者はより快適な状態でマッサージ機１０を使用することができる。
【００４８】
（５）マッサージ機１０において、ヒータ部Ｈを、マッサージ機本体１１に置かれた足先の親指に対向する位置に設けるとともに、ツボ押し部１５ａ等を、ヒータ部Ｈを挟むように足の長手方向に沿うように配置した。よって、足裏の中でも特に感じ易い親指をヒータ部Ｈにより温めつつも、足裏の大部分をツボ押し部１５ａ等により指圧することができるため、マッサージ効果と保温効果とを両立させることができ、使用者は快適な状態でマッサージ機１０を使用することができる。
【００４９】
（６）頂部１５１ａ等に足裏が接触した状態で、ヒータ部Ｈが足裏に接触するようにヒータ部Ｈがマッサージ機本体１１側から足裏に向けて突出している。よって、ヒータ部Ｈが足裏に接触していない場合に比べると、足裏を効率良く温めることができる。
【００５０】
（７）挿入部材４１の内側に足先を挿入しているため、挿入部材４１が無い場合に比べると、保温性をさらに高めることができる。
（８）マッサージ機１０において、マッサージ機本体１１に置かれた足先がエアバック１３の膨張に追従して上方へ移動してしまうことを規制するベルト２５を、マッサージ機本体１１に置かれた足先の甲に対向する位置に設けた。よって、エアバック１３が膨張した際に、足先が上方へ移動してしまうことをベルト２５により防止することができ、効果的に足裏のマッサージを施すことができる。
【００５１】
（９）ベルト２５は、足先の甲に密着するように足先の甲に対して締め付け調整可能に構成されている。よって、足のサイズに応じてベルト２５における足先への締め付け具合を調整することができるため、使用者の足のサイズに関係無く、エアバック１３の膨張に追従して足先が上方に移動してしまうことを効率良く防止することができる。
【００５２】
（１０）ベルト２５の内側（ベルト２５とマッサージ機本体１１との間）に挿入部材４１を配置した。よって、使用者は、挿入部材４１に足先を挿入するだけで、ベルト２５の内側に足先を位置させることができる。したがって、例えば、ベルト２５の内側に挿入部材４１を配置していない状態で、ベルト２５の内側に足先を挿入しようとしたときに、足先にベルト２５が引っ掛かってしまうことがなく、マッサージ機１０の使い勝手を向上させることができる。
【００５３】
（１１）挿入部材４１は本体カバー３１に対して着脱可能に取り付けられている。よって、挿入部材４１を本体カバー３１から取り外して、挿入部材４１をクリーニング（洗濯）することができ、清潔感を維持した状態でマッサージ機１０を使用することができる。
【００５４】
（１２）マッサージ機１０にベルト２５を覆う被覆部３５を設けた。よって、例えば、ベルト２５の締め付け力が弱まっていた場合に、エアバック１３の膨張に追従して足先が上方へ移動してしまうことを被覆部３５により抑制することができる。
【００５５】
（１３）挿入部材４１には係止突起４４が設けられるとともに、本体カバー３１には係止突起４４が係止可能な係止孔３８が形成されている。よって、係止突起４４と係止孔３８との係止により、挿入部材４１を本体カバー３１に対して容易に取り付けることができるとともに、係止突起４４と係止孔３８との係止を解除するだけで、挿入部材４１における被覆部３５に対しての取り外しを容易に行うことができる。
【００５６】
（変形例）
実施形態に関する説明は本発明に従うマッサージ機が取り得る形態の例示であり、その形態を制限することを意図していない。本発明に従うマッサージ機は実施形態以外に例えば以下に示される実施形態の変形例を取り得る。
【００５７】
・ヒータ部Ｈの形状は任意の選択事項である。変形例のヒータ部Ｈは、頂部１５１ａ等に足裏が接触した状態において足裏に接触するようにマッサージ機本体１１から足裏に突出する形状とは別の形状を有する。
【００５８】
・ヒータ部Ｈの位置は任意の選択事項である。変形例のマッサージ機１０によれば、足裏のほぼ全体に対応するようにヒータ部Ｈが配置される。
・ツボ押し部１５ａ等の配置は任意の選択事項である。変形例のマッサージ機１０によれば、ヒータ部Ｈを挟むように足の長手方向に沿う位置とは別の位置にツボ押し部１５ａ等が配置される。
【００５９】
・マッサージ機１０がヒータ部Ｈを備えるか否かは任意の選択事項である。変形例のマッサージ機１０はヒータ部Ｈを備えない。
・本体カバー３１の材料は任意の選択事項である。本体カバー３１の材料の別の例はゴム材料または樹脂材料である。さらに別の例によれば、本体カバー３１は可撓性を有していない。
【００６０】
・挿入部材４１が取り付けられる対象は任意の選択事項である。変形例のマッサージ機１０によれば、挿入部材４１がベルト２５に取り付けられ、ベルト２５に対して着脱可能である。
【００６１】
・変形例のマッサージ機１０によれば、挿入部材４１と本体カバー３１とが一体的に形成され、挿入部材４１が本体カバー３１から着脱不能である。
・挿入部材４１の材料は任意の選択事項である。挿入部材４１の材料の別の例はゴム材料または樹脂材料である。
【００６２】
・マッサージ機１０が挿入部材４１を備えるか否かは任意の選択事項である。変形例のマッサージ機１０は挿入部材４１を備えない。
・ベルト２５が備える締め付け機能は任意の選択事項である。変形例のベルト２５は、足先の甲に密着するように足先の甲に対して締め付ける機能を備えない。
【００６３】
・規制手段の具体的な形態は任意の選択事項である。規制手段の別の例は紐である。
・マッサージ機１０がベルト２５を備えるか否かは任意の選択事項である。変形例のマッサージ機１０はベルト２５を備えない。
【００６４】
（課題を解決するための手段に関する付記）
（付記１）
両足先を配置可能なマッサージ機本体と、前記マッサージ機本体に配置されるヒータ部と、前記マッサージ機本体に置かれる足先の甲に対向する部位を被覆可能な被覆部とを備え、前記被覆部は可撓性を有する
マッサージ機。
（付記２）
両足先を配置可能なマッサージ機本体と、前記マッサージ機本体に配置されるヒータ部と、前記マッサージ機本体に置かれる足先の甲に対応する部位を被覆可能な被覆部と、前記被覆部に取り付けられる挿入部材とを備え、前記被覆部は両足先が挿入される開口を備え、前記挿入部材は前記被覆部において前記開口を形成する部分を覆う
マッサージ機。
（付記３）
両足先を配置可能なマッサージ機本体と、前記マッサージ機本体に配置されるヒータ部と、前記マッサージ機本体に置かれる足先の甲に対向する部位を被覆可能な被覆部とを備え、前記マッサージ機本体および前記被覆部は両足先を併せて挿入可能な履物のような形状を有する
マッサージ機。
（付記４）
両足先をマッサージするマッサージ手段が前記マッサージ機本体に配置される
付記１〜３のいずれか一項に記載のマッサージ機。
（付記５）
前記ヒータ部は、前記マッサージ機本体に置かれる足の親指に対向する位置に配置され、足のツボを押圧するツボ押し部を備え、前記ツボ押し部は、前記マッサージ機本体側から足裏に向けて突出し、前記ヒータ部を挟むように足の長手方向に沿って配置される
付記１〜４のいずれか一項に記載のマッサージ機。
（付記６）
前記ヒータ部は、前記ツボ押し部の頂部に足裏が接触した状態において足の親指に接触するように前記マッサージ機本体側から足裏に向けて突出する
付記５に記載のマッサージ機。
（付記Ａ）
足先が配置されるマッサージ機本体と、前記足先をマッサージするエアバックと、前記マッサージ機本体に置かれる足の爪先から足先の甲に至る部位を被覆する被覆部とを備える
マッサージ機。
（付記Ｂ）
前記被覆部は可撓性を有する
付記Ａに記載のマッサージ機。
（付記Ｃ）
前記被覆部は発泡性材料により形成される
付記ＡまたはＢに記載のマッサージ機。
（付記Ｄ）
前記マッサージ機本体に配置され、足裏を温めるヒータ部をさらに備える
付記Ａ〜Ｃのいずれか一項に記載のマッサージ機。
【符号の説明】
【００６７】
１０    ：マッサージ機
１１    ：マッサージ機本体
１２    ：本体部
１２ａ  ：上面
１２ｂ  ：第１貫通孔
１２ｃ  ：第２貫通孔
１２ｅ  ：位置決め部
１３    ：エアバック
１３ａ  ：第１エア室
１３ｂ  ：第２エア室
１４    ：シート材
１５    ：第１指圧プレート
１５ａ  ：ツボ押し部
１６    ：第２指圧プレート
１６ａ  ：ツボ押し部
１７    ：第３指圧プレート
１７ａ  ：ツボ押し部
１８    ：第４指圧プレート
１８ａ  ：ツボ押し部
１９    ：操作部
２１    ：第１取付部
２１ａ  ：第１挿入部
２２    ：第２取付部
２２ａ  ：第２挿入部
２３    ：第３取付部
２３ａ  ：第３挿入部
２５    ：ベルト（規制手段）
３１    ：本体カバー
３２    ：底壁
３３    ：周壁
３４    ：開口
３５    ：被覆部
３６    ：取付凹部
３６ａ  ：底面
３７    ：位置決め孔
３８    ：係止孔
４１    ：挿入部材
４１ａ  ：開口
４２    ：右足先挿入部
４３    ：左足先挿入部
４４    ：係止突起
４４ａ  ：取付部
４４ｂ  ：延設部
４４ｃ  ：係止部
１２１  ：長側面
１２２  ：長側面
１２３  ：短側面
１２４  ：短側面
１３１ａ：第１連通孔
１３１ｂ：第２連通孔
１５１ａ：頂部
１６１ａ：頂部
１７１ａ：頂部
１８１ａ：頂部
Ｈ      ：ヒータ部
Ｈ１    ：突出部
Ｈ２    ：ヒータ素子
Ｈ３    ：ヒータプレート
Ｈ４    ：ヒータカバー
Ｃ      ：エアチューブ
Ｃ１    ：第１連通部
Ｃ２    ：第２連通部
Ｐ      ：加圧ポンプ
Ｖ１    ：第１電磁弁
Ｖ２    ：第２電磁弁
Ｅ１    ：第１排気通路
Ｅ２    ：第２排気通路
Ｔ      ：貼着部
Ｓ      ：制御部
【図１】
0005991681.tif 000002
【図２】
0005991681.tif 000003
【図３】
0005991681.tif 000004
【図４】
0005991681.tif 000005
【図５】
0005991681.tif 000006
【図６】
0005991681.tif 000007
【図７】
0005991681.tif 000008
【図８】
0005991681.tif 000009
【図９】
0005991681.tif 000010
【図１０】
0005991681.tif 000011
【図１１】
0005991681.tif 000012